(57)【要約】【課題】大規模施設の多数の自動ドアに設置された複数の防護柵に設けた広告媒体を、相互に関連付けることで、個々の広告媒体による効果以上の相乗効果をもたらす。【解決手段】空港施設５０を含む大規模施設に存在する多数の自動ドアユニット１０に設置される多数の防護柵１６を総合的に管理するようにした。広告元（広告主）が希望する配置位置の集中度合いと価格との関係を案内し、空いている防護柵１６の配置位置を提供するといった、分散化が可能となり、各出入口５６の自動ドアユニット１０に必然的に設けられる防護柵１６を有効利用することができる。大型の空港施設５６（ハブ空港等）においては、安全性の面から合計２００台以上（以下、「多数」という）の防護柵１６が必須とされる場合がある。多数の防護柵１６を総合的に管理することで、以下の作用効果を得ることができる。【選択図】図４
2016218329.tif 000002
【特許請求の範囲】
【請求項１】
施設の出入口スペースに設置された複数の自動ドアユニットの開閉扉の移動領域を隔離するための複数の防護柵のそれぞれに設けられ、当該施設に関連する情報を案内する広告媒体を管理する広告媒体管理制御装置であって、
前記防護柵の位置と、前記広告媒体の種類とが対応付けられたデータベースが記憶された記憶手段と、
広告元から前記広告媒体の配置替え及び入替えの少なくとも一方を含む変更要求があった場合に、前記記憶手段に記憶されたデータベースを更新する更新手段と、
を有する広告媒体管理制御装置。
【請求項２】
前記防護柵に、当該防護柵のそれぞれを特定する識別符号が付与され、
前記防護柵の位置が、前記識別符号で管理されることを特徴とする請求項１記載の広告媒体管理制御装置。
【請求項３】
前記識別符号が、携帯通信端末の識別符号読取機能によって読取可能な状態で、それぞれの防護柵に表記されており、
前記携帯通信端末から前記広告元へのアクセスによって、広告元から前記防護柵に設けられた広告媒体に関するサービスが提供されることを特徴とする請求項２記載の広告媒体管理制御装置。
【請求項４】
前記広告元からの変更要求に基づく変更処理が実行されたことを想定した配置プランを構築して広告元へ通知する通知手段と、
前記広告元から返信された前記配置プランの認否情報に基づいて、前記更新手段による更新の可否を判定する判定手段と、
をさらに有する請求項１〜請求項３の何れか１項記載の広告媒体管理制御装置。
【請求項５】
施設の出入口スペースに設置された複数の自動ドアユニットの開閉扉の移動領域を隔離するための複数の防護柵のそれぞれに設けられ、当該施設に関連する情報を案内する広告媒体を管理する広告媒体管理制御装置と、
広告元に設けられ、前記広告媒体に基づく顧客サービスを提供する広告元サーバーと、
を備えた広告媒体管理制御システムであって、
前記広告媒体管理制御装置が、
前記防護柵の位置と、前記広告媒体の種類とが対応付けられたデータベースが記憶された記憶手段と、
広告元から前記広告媒体の配置替え及び入替えの少なくとも一方を含む変更要求があった場合に、前記記憶手段に記憶されたデータベースを更新する更新手段と、
前記広告元からの変更要求に基づく変更処理が実行されたことを想定した配置プランを構築して広告元へ通知する通知手段と、
前記広告元から返信された前記配置プランの認否情報に基づいて、前記更新手段による更新の可否を判定する判定手段と、を有し、
前記広告元サーバーが、
広告媒体の配置替え及び入替えの少なくとも一方を含む変更要求を指示する指示手段と、
前記広告媒体管理制御装置から受けた配置プランの通知に対して認否情報を返信する返信手段と、を有する、
広告媒体管理制御システム。
【請求項６】
施設の出入口スペースに設置された複数の自動ドアユニットの開閉扉の移動領域を隔離するための複数の防護柵のそれぞれに設けられ、当該施設に関連する情報を案内する広告媒体を管理する広告媒体管理制御プログラムであって、
前記防護柵の位置と、前記広告媒体の種類とが対応付けられたデータベースを記憶しておき、
広告元から前記広告媒体の配置替え及び入替えの少なくとも一方を含む変更要求に基づいて、前記データベースを更新するとき、
前記広告元からの変更要求に基づく変更処理が実行されたことを想定した配置プランを構築して広告元へ通知し、
前記広告元から返信された前記配置プランの認否情報に基づいて、前記データベースの更新の可否を判定することを、
コンピュータに実行させる広告媒体管理制御プログラム。
【発明の詳細な説明】
【技術分野】
【０００１】
本発明は、自動ドアの防護柵に付加された広告用パネルに設ける広告媒体を管理する広告媒体管理制御装置、広告媒体管理制御システム、広告媒体管理制御プログラムに関する。
【背景技術】
【０００２】
空港やショッピングモール等の大規模施設には、多数の出入口が設けられ、この出入口のほとんどは、自動ドアである。
【０００３】
また、大規模施設の自動ドアは、スライドする開閉扉及びこれに隣接する所謂嵌め殺しの壁体で構成され、これらは透明板材（ガラス板やアクリル板等）で構成されており、出入口に開放感をもたらしている。
【０００４】
開閉扉は、開口部を閉鎖する位置（閉止状態）と開口部を開放する位置（開放状態）との間をスライドするため、特に、開放する際に、開閉扉と開口部を出入する顧客や物が衝突することを防止するため、壁体に対峙するように防護柵が取り付けられている。
【０００５】
壁体と防護柵とにより、所謂戸袋が形成され、開口部を開放する位置の開閉扉は、安全に戸袋に収容される。
【０００６】
特許文献１には、自動ドアの嵌殺し戸（壁体）と対峙させて設置される防護柵において、防護柵は、外周の額縁を支持するフレームの内側に発光パネルを配置し、発光パネルは、額縁の少なくとも相対向する二辺内に所定間隔でＬＥＤからなる光源を多数配置するとともに、導光パネルに表示板を積層して額縁にて包囲してなり、この発光パネルの光源からの光を導光パネルの辺部から入射して導光パネルの表示板面を発光表示させるようにすることが記載されている。
【先行技術文献】
【特許文献】
【０００７】
【特許文献１】実用新案登録第３１５１７３８号公報
【発明の概要】
【発明が解決しようとする課題】
【０００８】
しかしながら、特許文献１の表示機能を持つ防護柵は、単品での広告媒体の設置は確立されているものの、大規模施設における多数の自動ドアに設置された複数の防護柵の位置等を相互に関連付けて、当該防護柵に設けた広告媒体を総合的に活用するには至っておらず、広告効果が十分に発揮されていない。
【０００９】
本発明は上記事実を考慮し、大規模施設の多数の自動ドアに設置された複数の防護柵に設けた広告媒体を、相互に関連付けることで、個々の広告媒体による効果以上の相乗効果をもたらすことができる広告媒体管理制御装置、広告媒体管理制御システム、広告媒体管理制御プログラムを得ることが目的である。
【課題を解決するための手段】
【００１０】
本発明は、施設の出入口スペースに設置された複数の自動ドアユニットの開閉扉の移動領域を隔離するための複数の防護柵のそれぞれに設けられ、当該施設に関連する情報を案内する広告媒体を管理する広告媒体管理制御装置であって、前記防護柵の位置と、前記広告媒体の種類とが対応付けられたデータベースが記憶された記憶手段と、広告元から前記広告媒体の配置替え及び入替えの少なくとも一方を含む変更要求があった場合に、前記記憶手段に記憶されたデータベースを更新する更新手段と、を有している。
【００１１】
本発明によれば、記憶手段には、防護柵の位置と、広告媒体の種類とが対応付けられたデータベースが記憶されている。
【００１２】
更新手段では、広告元から広告媒体の配置替え及び入替えの少なくとも一方を含む変更要求があった場合に、記憶手段に記憶されたデータベースを更新する。
【００１３】
このため、例えば、大規模施設の多数の自動ドアに設置された複数の防護柵に設けた広告媒体を、相互に関連付けることで、個々の広告媒体による効果以上の相乗効果をもたらすことができる。
【００１４】
本発明において、前記防護柵に、当該防護柵のそれぞれを特定する識別符号が付与され、前記防護柵の位置が、前記識別符号で管理されることを特徴としている。
【００１５】
防護柵の位置を識別符号で管理することで、防護柵の位置と広告媒体の種類とのデータベース化が容易となる。なお、広告元とのリンク（変更要求対象の広告媒体の特定等）も容易となる。
【００１６】
また、本発明において、前記識別符号が、携帯通信端末の識別符号読取機能によって読取可能な状態で、それぞれの防護柵に表記されており、前記携帯通信端末から前記広告元へのアクセスによって、広告元から前記防護柵に設けられた広告媒体に関するサービスが提供されることを特徴としている。
【００１７】
識別符号を防護柵に表記しておくことで、施設利用者（顧客）が所持する携帯通信端末の識別符号読取機能によって読取可能となる。
【００１８】
携帯通信端末から広告元へアクセスすることで、携帯通信端末を所持する施設利用者は、広告元から防護柵に付与された広告媒体に関するサービスの提供を受けることができる。
【００１９】
さらに、本発明において、前記広告元からの変更要求に基づく変更処理が実行されたことを想定した配置プランを構築して広告元へ通知する通知手段と、前記広告元から返信された前記配置プランの認否情報に基づいて、前記更新手段による更新の可否を判定する判定手段と、をさらに有している。
【００２０】
更新手段では、広告元から広告媒体の配置替え及び入替えの少なくとも一方を含む変更要求があった場合に、記憶手段に記憶されたデータベースを更新するが、このとき、所定の条件を設定する。
【００２１】
すなわち、通知手段では、広告元からの変更要求に基づく変更処理が実行されたことを想定した配置プランを構築(例えば、変更要求に基づく変更後のデモ画像等を生成)して広告元へ通知する。
【００２２】
判定手段では、広告元から返信された配置プランの認否情報に基づいて、更新手段による更新の可否を判定する。
【００２３】
配置プランが認可された時点で、広告媒体の変更処理が実行されることになり、この認可を所定の条件の成立とし、例えば、変更処理後にデータベースの更新を実行することで、常に、広告元の変更要求に対応したデータベースで管理することができる。
【００２４】
本発明は、施設の出入口スペースに設置された複数の自動ドアユニットの開閉扉の移動領域を隔離するための複数の防護柵のそれぞれに設けられ、当該施設に関連する情報を案内する広告媒体を管理する広告媒体管理制御装置と、広告元に設けられ、前記広告媒体に基づく顧客サービスを提供する広告元サーバーと、を備えた広告媒体管理制御システムであって、前記広告媒体管理制御装置が、前記防護柵の位置と、前記広告媒体の種類とが対応付けられたデータベースが記憶された記憶手段と、広告元から前記広告媒体の配置替え及び入替えの少なくとも一方を含む変更要求があった場合に、前記記憶手段に記憶されたデータベースを更新する更新手段と、前記広告元からの変更要求に基づく変更処理が実行されたことを想定した配置プランを構築して広告元へ通知する通知手段と、前記広告元から返信された前記配置プランの認否情報に基づいて、前記更新手段による更新の可否を判定する判定手段と、を有し、前記広告元サーバーが、広告媒体の配置替え及び入替えの少なくとも一方を含む変更要求を指示する指示手段と、前記広告媒体管理制御装置から受けた配置プランの通知に対して認否情報を返信する返信手段と、を有している。
【００２５】
本発明によれば、広告媒体管理制御装置には、防護柵の位置と、広告媒体の種類とが対応付けられたデータベースが記憶されている。このデータベース化された情報に基づいて、複数の防護柵の位置と、広告媒体の種類とが総合的に管理される。
【００２６】
ここで、広告元サーバーが指示手段により、広告媒体の配置替え及び入替えの少なくとも一方を含む変更要求を指示する。
【００２７】
広告媒体管理制御装置では、通知手段により、変更要求に基づく変更処理が実行されたことを想定した配置プランを構築して広告元へ通知する。
【００２８】
広告元サーバーでは、返信手段により、広告媒体管理制御装置から受けた配置プランの通知に対して認否情報を返信する。
【００２９】
広告媒体管理制御装置では、判定手段により、広告元から返信された配置プランの認否情報に基づいて、更新手段による更新の可否を判定する。
【００３０】
この判定手段による判定の結果、配置プランが認可された時点で、更新手段により、データベースを更新する。
【００３１】
このため、例えば、大規模施設の多数の自動ドアに設置された複数の防護柵に設けた広告媒体を、相互に関連付けることで、個々の広告媒体による効果以上の相乗効果をもたらすことができる。
【００３２】
本発明は、施設の出入口スペースに設置された複数の自動ドアユニットの開閉扉の移動領域を隔離するための複数の防護柵のそれぞれに設けられ、当該施設に関連する情報を案内する広告媒体を管理する広告媒体管理制御プログラムであって、前記防護柵の位置と、前記広告媒体の種類とが対応付けられたデータベースを記憶しておき、広告元から前記広告媒体の配置替え及び入替えの少なくとも一方を含む変更要求に基づいて、前記データベースを更新するとき、前記広告元からの変更要求に基づく変更処理が実行されたことを想定した配置プランを構築して広告元へ通知し、前記広告元から返信された前記配置プランの認否情報に基づいて、前記データベースの更新の可否を判定することを、コンピュータに実行させることを特徴としている。
【００３３】
本発明によれば、防護柵の位置と、前記広告媒体の種類とが対応付けられたデータベースが記憶されている。このデータベース化された情報に基づいて、複数の防護柵の位置と、広告媒体の種類とが総合的に管理される。
【００３４】
ここで、広告元サーバーが、広告媒体の配置替え及び入替えの少なくとも一方を含む変更要求を指示すると、変更要求に基づく変更処理が実行されたことを想定した配置プランを構築して広告元へ通知する。通知を受けた広告元は、配置プランの認否情報を返信する。
【００３５】
広告元から返信された配置プランの認否情報に基づいて、更新の可否を判定する。判定の結果、配置プランが認可された時点で、データベースを更新する。
【００３６】
このため、例えば、大規模施設の多数の自動ドアに設置された複数の防護柵に設けた広告媒体を、相互に関連付けることで、個々の広告媒体による効果以上の相乗効果をもたらすことができる。
【発明の効果】
【００３７】
以上説明した如く本発明によれば、大規模施設の多数の自動ドアに設置された複数の防護柵に設けた広告媒体を、相互に関連付けることで、個々の広告媒体による効果以上の相乗効果をもたらすことができるという優れた効果を有する。
【図面の簡単な説明】
【００３８】
【図１】本実施の形態に係る自動ドアユニットの斜視図である。
【図２】本実施の形態に係る防護柵であり、（Ａ）は正面図、（Ｂ）は上面図である。
【図３】図２のＩＩＩ−ＩＩＩ線断面図であり、（Ａ）は本実施の形態、（Ｂ）は変形例を示す。
【図４】本実施の形態に係る空港施設の平面図である。
【図５】本実施の形態に係る自動ドアユニットの平面図であり、（Ａ）は利用者の通路が単動線の場合、（Ｂ）は利用者の通路が複動線の場合を示す。
【図６】本実施の形態に係る広告媒体管理制御システムの概略構成図である。
【図７】本実施の形態に係る広告元サーバー及び広告媒体管理サーバーを動作させるためのブロック図である。
【図８】本実施の形態に係る広告媒体管理サーバーにおける、広告元からの広告媒体の配置替え、入替えの要求を管理するための機能ブロック図である。
【図９】本実施の形態に係る防護柵に設けられた広告媒体を利用した顧客と広告元との間で実行されるサービスの手順を示すフローチャートである。
【図１０】本実施の形態に係る広告媒体管理サーバーで実行される、広告媒体の配置替え、入替えに、並びに情報更新に関する管理手順の流れを示す制御フローチャートである。
【図１１】本実施の形態に係り、携帯通信端末、広告元サーバー、広告媒体管理サーバー間の通信プロトコルを示すタイミングチャートである。
【図１２】変形例に係り、液晶表示装置を搭載した場合の防護柵であり、（Ａ）は正面図、（Ｂ）は上面図である。
【発明を実施するための形態】
【００３９】
（自動ドアユニット１０の構成）
図１には、本実施の形態に係る自動ドアユニット１０が示されている。
【００４０】
自動ドアユニット１０は、例えば建物、特に、空港やショッピングモール等の大規模施設（図４では、空港施設５０を例示）の出入口スペースに設置される場合がある。
【００４１】
自動ドアユニット１０は、スライドする一対の開閉扉１２及びこれに隣接して施設内外を仕切る一対の壁体１４を備えている。
【００４２】
本実施の形態の自動ドアユニット１０は、開閉扉１２及び壁体１４共に、透明ガラス製であり、施設に開放感を持たせている。
【００４３】
開閉扉１２は、施設を利用する顧客の出入口となる開口部を閉鎖する位置（閉鎖位置）と開口部を開放する位置（開放位置）との間を図示しない駆動源の駆動力でスライドするようになっている。
【００４４】
ここで、本実施の形態の自動ドアユニット１０は、特に、開閉扉１２が開放位置へ移動する際に、開閉扉１２と開口部を出入する顧客や物が衝突することを防止するため、壁体１４に対峙するように防護柵１６が取り付けられている。この防護柵１６と壁体１４との間には、所謂戸袋空間１８（図５参照）が形成され、開閉扉１２は、安全に戸袋空間１８に収容される。
【００４５】
なお、この防護柵１６には、広告媒体３８を設けることが可能となっている。すなわち、防護柵１６は、利用者等の案内確保機能に加え、空港施設５０に関連する情報の案内機能を備えている（詳細後述）。
【００４６】
図２に示される如く、防護柵１６は、例えば、高さ１ｍ程度であり、当該防護柵１８が取り付けられる壁体１４前の床面２０には、アンカーボルト２２により２個のベース２４が固着されている。
【００４７】
このベース２４に対して、ステンレス製あるいはアルミニウム製のフレーム２６が取り付けられている。フレーム２６は、水平の上桟部２６Ａの両端から床面２０に向けてそれぞれ一対の脚部２６Ｂが形成されたゲート状（例えば、カタカナのコ字型）であり、当該脚部２６Ｂの最下端に前記ベース２４が取り付けられている。なお、フレーム２６の上桟部２６Ａと一対の脚部２６Ｂとの角部は怪我等の防止のためＲ面取りが施されている。
【００４８】
ベース２４にはアンカーボルト２２を隠すための装飾用のベースカバー３０が取り付けられている。
【００４９】
フレーム２６の床面２０から高さ１５ｃｍほどの位置には下桟部２６Ｃが設けられている。この下桟部２６Ｃには、上面にＵ字型の溝が形成された下枠（図示省略）が固着され、この下枠の溝に緩衝部材を介して発光パネル３２が配置されている。発光パネル３２は矩形状で、外周が額縁３４で保護されている。
【００５０】
この発光パネル３２の上方は、フレーム２６の左右の脚部２６Ｂに設けられたクランプ金具３５に挟み込まれて支持されている。
【００５１】
図３（Ａ）に示される如く、前記発光パネル３２は、導光パネル３６に、注意書き、広告等のフィルム状の広告媒体３８を貼付した表示板４０を積層して構成されている。
【００５２】
導光パネル３６は、例えば、厚さが６ｍｍのアクリル板からなる導光パネル本体４２と、この導光パネル本体４２の表示板４０側の表面を光拡散処理した光拡散層４４と、反対側の背面に貼付された光反射シート４６とで形成されている。
【００５３】
なお、表示板４０と導光パネル３６の間に広告媒体３８を挟み込むようにしてもよく、この場合、表示板４０に広告媒体３８を貼付する手数が省けるとともに広告媒体３８の交換が極めて容易になる。さらに、広告媒体３８は、表示板４０に貼付したが、表示板４０に直接情報を描いても良い。
【００５４】
前記導光パネル３６、表示板４０、広告媒体３８は、積層されて全周囲が額縁３４の溝部に挟み込まれて保持されている。
【００５５】
前記額縁３４を構成する左右の縦枠の溝部の内部には、予め額縁３４の長手方向に一定の間隔でＬＥＤからなる光源４７が多数配置されている。
【００５６】
光源４７は、例えば、周囲の明るさを検出して夜間等に点灯させる回路、タイマーにより所望の時間に点灯・消灯させる回路、防護柵１６の近くに検知装置が設置され、人や物が近づくと一定時間だけ点灯させる回路、広告、注意書き等を目立たせるため点滅させる回路、複数の光源４７の発光パターンを変化させる回路等の１ないし複数の回路の組合せで構成された図示しない光源制御装置により制御される。前記検知装置は、自動ドアユニット１０の開閉扉１２（図１参照）を開閉するセンサと連動するようにしても良いし、別個に制御するものでも良い。
【００５７】
この発光パネル３２は、表示板４０が設けられた面を使用目的に応じて、屋内側又は屋外側へ向けて前記フレーム２６に取り付けられる。
【００５８】
ここで、広告媒体３８に表示される広告、注意書き等の情報は、光源４７から発光し、導光パネル３６からの光（すなわち、バックライト）により照らされるため、バックの色の濃くない図柄、あるいは透過式の写真や絵により表示されることが望ましい。
【００５９】
上記構成の発光パネル３２を具備した防護柵１６では、光源４７からの光が、導光パネル本体４２の内部を反射しながら進み、表面（発光する面）に到達した光は光拡散層４４により一部が導光パネル本体４２外に放射され、一部は乱反射して導光パネル本体４２の内部をさらに進む。背面（発光しない面）に到達した光は、光反射シート４６により全部が乱反射して導光パネル本体４２の内部をさらに進む。
【００６０】
これによって、導光パネル本体４２の表面側が全体に亘ってむらなく発光し、表面側に設けられた広告媒体３８に描かれた情報を浮かび上がらせる。
【００６１】
光反射シート４６は、前述のように光を導光パネル本体４２内に反射するだけでなく、広告媒体３８に描かれた情報を背面側に透けてしまうことを防止する。
【００６２】
なお、発光パネル３２は、導光パネル３６の発光を一方の面だけではなく、図３（Ｂ）に示される如く、両面を発光させるように独立した２枚の発光パネル３２を、それぞれの導光パネル３６の背面側が対向するように積層してもよい。この場合、施設内外で異なる種類の広告媒体３８の表示をすることができる。２枚の導光パネル３６を常に同時に発光させる場合には、光源４７は、共用の１個だけであってもよい。
【００６３】
図４には、大型施設の一例として空港施設５０が示されている。空港施設５０は、各航空会社の受付カウンター５２が横長に配置されている。
【００６４】
また、それぞれの航空会社の受付カウンター５２に対して、客の動線が円滑となるように、空港施設５０内の通路が、横長の受付カウンター５２を境に、一般通路５４と搭乗者専用通路５６とに分離されている。
【００６５】
さらに、空港施設５０には、受付カウンター５２に対面するように複数の出入口スペース５８が設けられている。この各出入口には、本実施の形態に係る自動ドアユニット１０が設置されている。
【００６６】
また、空港施設５０では、航空会社カウンター５２の他、多数の店舗（図示省略）がテナント契約を結び営業しており、空港施設内外には、各テナントの広告媒体３８が設けられている。
【００６７】
空港施設５０の自動ドアユニット１０は、例えば、図５に示される如く、防音、防犯、空調等の理由から出入り方向に二重に設けられており、さらに、出入口の広さによって、単動線（図５（Ａ）に示す、利用客が出入りする開口部が１ライン）、複動線（図５（Ｂ）に示す、利用客が出入りする開口部が２ライン以上）が選択されている。
【００６８】
このため、空港施設５０の自動ドアユニット１０に適用される防護柵１６は、単動線では４箇所、複動線では８箇所に設けられることになる。
【００６９】
ここで、従来は、広告場所を提供する側が、個々の防護柵１６に対して、広告媒体３８の表示を希望する広告元（広告主）に対して、適宜、単体で提供していたため、広告媒体３８が人気箇所に集中し、広告主が所望の位置に広告媒体３８を表示できない場合があった。
【００７０】
また、人気のない出入口では、広告媒体３８が表示されない防護柵１６が存在する場合があった。
【００７１】
そこで、本実施の形態では、空港施設５０を含む大規模施設に存在する多数の自動ドアユニット１０に設置される多数の防護柵１６を総合的に管理するようにした。例えば、広告元（広告主）が希望する配置位置の集中度合いと価格との関係を案内し、空いている防護柵１６の配置位置を提供するといった、分散化が可能となり、各出入口５６の自動ドアユニット１０に必然的に設けられる防護柵１６を有効利用することができる。
【００７２】
特に、大型の空港施設５６（ハブ空港等）においては、安全性の面から合計２００台以上（以下、「多数」という）の防護柵１６が必須とされる場合がある。
【００７３】
本実施の形態では、この多数の防護柵１６を総合的に管理することで、以下の作用効果（ａ）〜（ｄ）を得ることができる。
【００７４】
（ａ）  従来どおり、自動ドアユニット１０の安全性を維持することができる。
【００７５】
（ｂ）  広告の効果増大により、新しい広告媒体３８の設置希望が見込める。
【００７６】
（ｃ）  防護柵１６の設置は設備投資として膨大であるが、広告効果を上げることで、設備費用の回収率を高めることができる。
【００７７】
（ｄ）  適宜広告媒体３８の配置替え、入替え作業が容易であり、多数の防護柵１６を総合的に管理することで、マーケティング調査が容易となり、さらなる広告誘導が可能となる。
【００７８】
ここで、空港施設５０に特化した場合、出発と到着がある。出発する者を対象とした場合は、空港施設５０内に展開された商業施設が広告媒体３８の広告元となり得る。一方、到着する者を対象とした場合は、空港施設５０外に存在する、ホテル等の宿泊施設、交通機関が広告媒体３８の広告元となり得る。このため、空港施設５０は、他の大型施設よりも防護柵１６の利用頻度が高く、広告媒体３８の総合的な管理による効果が最大限に発揮できる（他の施設での効果を否定するものではない）。
【００７９】
なお、多数の防護柵１６を総合的に管理するために、空港施設５０には、広告媒体管理サーバー１０８（図６参照）を配置することが好ましい。
【００８０】
このため、フレーム２６には、開閉扉１２（図１参照）に近い側の上桟部２６Ａと脚部２６Ｂとの角部近傍に、識別符号（例えば、ＱＲコード（登録商標）等）が付与されたコードプレート２８が貼り付けられてもよい。
【００８１】
このコードプレート２８に付与された識別符号は、当該防護柵１６が取り付けられた位置を特定するものであり、後述する広告媒体管理サーバー１０８のハードディスク１０８Ｆには、予め、識別符号と、大規模施設の何れの出入口スペース５８の何れの自動ドアユニット１０の左右、内外の位置、現在表示されている広告媒体３８の種類、広告元（広告主）がリンクされて記憶されている。
【００８２】
なお、発光パネル３２が両面表示の場合(図３（Ｂ）参照)、前記フレーム１６に設けられたコードプレート２８（識別符号）は、表裏別々に設けておき、表示されている表裏の広告媒体３８の種類を特定してもよいし、何れか一方の広告媒体３８（例えば、入館又は退館のために移動する客に対峙する側の広告媒体３８）を特定するようにしてもよい。
【００８３】
広告媒体管理制御装置１０６では、コードプレート２８に付与された識別符号によって、防護柵１６の位置が特定され、かつ、当該防護柵１６に設けられた広告媒体３８の種類を関連つけてデータベース化しておくことで、防護柵１６を総合的に管理することが容易となる。
【００８４】
（広告媒体管理制御システム）
以下、図６〜図１１に従い、広告媒体３８の配置を総合的に管理するための広告媒体管理制御装置１０６を用いた、広告媒体管理制御システムの一例を示す。
【００８５】
なお、本システムは、広告媒体管理側（空港施設５０等）、広告元、空港施設５０を利用する利用客（顧客）との間で広告媒体３８を有効利用するものであり、空港施設５０等の大型施設に設置される防護柵１６の配置構成の手段を特定するものではない。
【００８６】
（システム構成）
図６には、本実施の形態に係る、広告媒体管理制御システムの概略構成図が示されている。
【００８７】
予約処理システムは、インターネット等の通信回線網１００を中心としたネットワークによって構築されている。
【００８８】
図６に示される如く、通信回線網１００には、本実施の形態に係る入力端末として、無線通信デバイス１０２を介して携帯通信端末１０４（例えば、スマートホン、タブレット等）がそれぞれ接続されている。なお、３台の携帯通信端末１０４を示しているが、この数は限定されるものではない。
【００８９】
携帯通信端末１０４は、無線通信デバイス１０２を介して無線によって情報を送受信するようになっている。携帯通信端末１０４は、前記防護柵１６のコードプレート２８に付与されたコード（ＱＲコード（登録商標））を読み取る機能を備えている。
【００９０】
また、図６に示される如く、この通信回線網１００には、広告元サーバー１０６から受け付けた情報を処理する広告媒体管理制御装置としての広告媒体管理サーバー１０８が接続されている。
【００９１】
広告元サーバー１０６は、主として、通信回線網１００に接続されている携帯通信端末１０４からサービス提供要求情報を受け付け、当該要求に対して、サービスを提供する。
【００９２】
図７示される如く、広告元サーバー１０６は、ＣＰＵ１０６Ａ、ＲＡＭ１０６Ｂ、ＲＯＭ１０６Ｃ、Ｉ／Ｏ１０６Ｄ及びこれらを相互に接続するデータバスやコントロールバス等のバス１０６Ｅを備えたマイクロコンピュータ１１０を具備する。
【００９３】
Ｉ／Ｏ１０６Ｄには、ハードディスク（ＨＤＤ）１０６Ｆ、無線（または有線）による通信Ｉ／Ｆ１０６Ｇが接続されている。通信Ｉ／Ｆ１０６Ｇには、前記通信回線網１００が接続されている。なお、Ｉ／Ｏ１０６Ｇには、ＵＳＢに代表される外部デバイスとの接続端であるＩ／Ｆが接続される場合がある。
【００９４】
また、図７に示される如く、広告媒体管理サーバー１０８は、ＣＰＵ１０８Ａ、ＲＡＭ１０８Ｂ、ＲＯＭ１０８Ｃ、Ｉ／Ｏ１０８Ｄ及びこれらを相互に接続するデータバスやコントロールバス等のバス１０８Ｅを備えたマイクロコンピュータ１１２を具備する。
【００９５】
Ｉ／Ｏ１０８Ｄには、ハードディスク（ＨＤＤ）１０８Ｆ、無線（または有線）による通信Ｉ／Ｆ１０８Ｇが接続されている。通信Ｉ／Ｆ１０８Ｇには、前記通信回線網１００が接続されている。
【００９６】
なお、広告元サーバー１０６及び広告媒体管理サーバー１０８は、基本的には、データの送受信が行われればよく、入力装置やモニタ等の出力装置は必須ではない。例えば、専用又は汎用のＩ／ＦにＰＣ等を接続して、入力装置や出力装置を代行するようにすればよい。
【００９７】
携帯通信端末１０４には、広告元が提供したサービス提供アプリケーションプログラムが予め登録されている。携帯通信端末１０４では、当該サービス提供アプリケーションプログラムを起動すると、サービスを受けるための画面が表示されるようになっている。なお、本実施の形態では、前記防護柵１６に設けられたコードプレート１８に付与された識別符号を形態通信端末１０４に装備されている撮影デバイスで撮影することで、自動的ニ広告元サーバー１０６へサービス提供の意志があることが通知されるようになっている。
【００９８】
携帯通信端末１０４と広告元サーバー１０６とのサービス提供アプリケーションプログラムは、従来から存在するシステムが適用可能である。
【００９９】
一方、本実施の形態の特徴は、広告管理サーバー１０６と広告媒体管理サーバー１０８との間での情報交換に関するものである。
【０１００】
すなわち、前記携帯通信端末１０４と広告元サーバー１０６とのサービス提供において、広告元は、広告媒体管理側（空港施設５０）に対して、防護柵１６に設けた広告媒体３８の配置替え、入替えを要求する場合がある。
【０１０１】
このとき、広告媒体管理サーバー１０８によって、複数の広告元からの要求を一括管理することで、円滑に、防護柵１６に設ける広告媒体３８の配置替え、入替えを可能としている。
【０１０２】
図８は、広告媒体管理サーバー１０８における、広告元からの広告媒体３８の配置替え、入替えの要求を管理するための機能ブロック図である。なお、図８に示す各ブロックは、広告媒体管理サーバー１０８のハード構成を限定するものではない。また、図８に示す情報の授受、解析を含む制御手順は一例であり、広告媒体管理サーバー１０８の機能を限定するものではない。
【０１０３】
通信Ｉ／Ｆ１０８Ｇは、受付情報解析部１２０に接続され、広告元サーバー１０６から送信される情報を受け付ける。受付情報解析部１２０では、受け付けた情報を解析する。
【０１０４】
受付情報解析部１２０は、配置プラン構築部１２２及び配置プラン認否確認部１２４に接続され、前記解析結果の情報が変更要求情報である場合は配置プラン構築部１２２へ送信し、前記解析結果の情報が配置プラン認否情報である場合は配置プラン認否確認部１２４へ送出される。
【０１０５】
配置プラン構築部１２２は、広告媒体位置情報データベース１２６（図７（Ｂ）参照）及びデモ画像生成部１２８に接続されている。
【０１０６】
配置プラン構築部１２２では、変更要求情報に基づいて、広告媒体位置情報データベース１２６から、変更要求対象の防護柵１６の位置、配置替え又は入替えを実行する広告媒体３８の種類を読み出し、要求された広告媒体３８の配置プランを構築する。
【０１０７】
また、配置プラン構築部１２２では、構築された配置プランをデモ画像生成部１２８へ送出する。
【０１０８】
デモ画像生成部１２８では、配置プランに基づいて、広告元へプレゼンテーションするためのデモ画像（要求された広告媒体３８が設けられた防護柵１６及びその周辺の自動ドアユニット１０の合成写真やＣＧ等）を生成し、配置制御部１３０へ送出する。
【０１０９】
配置制御部１３０は、デモ画像送出部１３２に接続され、デモ画像生成部１２８で生成したデモ画像を通信Ｉ／Ｆ１０８Ｇを介して、広告元（変更要求依頼主）へ送出する。なお、デモ画像を送信した作業に関する情報は、出力部１３４を介してオペレータへ報知される。
【０１１０】
広告元（変更要求依頼主）は、変更要求に対応しているか否かをデモ画像で確認し、その認否情報（配置プラン認否情報）を返信する。
【０１１１】
この配置プラン認否情報は、通信Ｉ／Ｆ１０８Ｇ、受付情報解析部１２０を介して、認否情報確認部１２４へ送出される。認否情報確認部１２４では、配置プランの認可／否認可を確認し、認可の場合は確定情報を、否認の場合は修正情報を、それぞれ配置制御部１３０へ送出する。
【０１１２】
なお、配置プラン認否情報確認部１２４の認否情報（確定情報、修正情報）は、出力部１３４を介して、広告媒体管理サーバー１０８のオペレータへ報知される。
【０１１３】
配置制御部１３０は、確定情報を受けると、広告媒体位置情報更新部１３６を起動させて、広告媒体位置情報データベース１２６の情報を更新する。また、配置制御部１３０は、修正情報を受けると、前記配置プラン構築１２２に対して、配置プランの再構築を指示する。
【０１１４】
以下に本実施の形態の作用を図９及び図１０のフローチャート、並びに図１１の通信プロトコルに基づいて説明する。
【０１１５】
（携帯通信端末１０４と広告元サーバー１０６との間のサービス提供手順）
まず、図９のフローチャートに従い、防護柵１６に設けられた広告媒体３８を利用した顧客と広告元との間で実行されるサービスの手順を説明する。
【０１１６】
各広告元サーバー１０６は、自身が提供する広告媒体３８が空港施設１０の何れの自動ドアユニット１０における何れの防護柵１６に設けられているかは、それぞれ広告媒体管理サーバー１０８から通知を受けて、認知している。
【０１１７】
ステップ１５０では、空港施設５０に入館時又は空港施設から退館時に、防護柵１６のフレーム２６に設けられたコードプレート２８に、利用客が所持するスマートホン等の携帯通信端末１０４をかざし、コードプレート１２８に付与されたコード（ＱＲコード（登録商標））を撮影機能で撮影し、当該コードを読み取る。
【０１１８】
次のステップ１５２では、予め登録されたサービスアプリを立ち上げて、読み取ったＱＲコード（登録商標）に基づき、携帯通信端末１０４から広告元サーバー１０６へアクセスする。
【０１１９】
ステップ１５４では、広告元サーバー１０６側において、ＱＲコード（登録商標）に基づいて、広告媒体情報、広告位置情報を検索し、次いで、ステップ１５６へ移行して、広告元サーバー１０６側において、ＱＲコード（登録商標）に基づいて、顧客情報を検索し、発信者が会員登録されているか否かを判別する。
【０１２０】
発信者（利用客）が会員登録されている場合は、ステップ１５６からステップ１５８へ移行して、広告元サーバー１０６から携帯通信端末１０４へ顧客毎の優待度に応じたサービス提供情報（例えば、クーポン券等）を案内し、ステップ１６４へ移行する。
【０１２１】
また、発信者（利用客）が会員登録されていない場合は、ステップ１５６からステップ１６０へ移行して、広告元サーバー１０６から携帯通信端末１０４へ新規会員の勧誘案内を実行する。このとき、会員登録拒絶の返信があった場合は、このサービス提供は終了する。
【０１２２】
一方、会員登録要求の返信があった場合は、別途会員登録画面を立ち上げて、必要な情報をやりとりを行った後、会員登録を実行する。会員登録の容認された後は、ステップ１６０からステップ１６２へ移行して、広告元サーバー１０６から携帯通信端末１０４へ、新規会員用のサービス提供情報（クーポン券等）を案内し、ステップ１６４へ移行する。
【０１２３】
ステップ１６４では、携帯通信端末１０４から広告元サーバー１０６へサービスを要求する位置を通知し、次いで、ステップ１６６では、広告元サーバー１０６から携帯通信端末１０４へサービス提供情報（クーポン券等）を送信し、ステップ１６８へ移行する。
【０１２４】
ステップ１６８では、広告元サーバー１０６から携帯通信端末１０４へ広告媒体配置位置から目的地（例えば、店舗）までのルート情報を送信する。
【０１２５】
ステップ１６８でのルート情報送信後、広告サーバー１０６では、ステップ１７０へ移行して、定期的に、広告利用に関する情報を集計し、広告効果を解析し、ステップ１７２へ移行する。
【０１２６】
このとき、広告元サーバー１０６では、例えば、顧客(会員)に対してアンケートを提示して、当該アンケートによって、広告利用の評価を収集するようにしてもよい（ステップ１７０Ａ→ステップ１７０→ステップ１７２の処理）。
【０１２７】
次のステップ１７２では、ステップ１７０での解析結果に基づいて、広告サーバー１０６から広告媒体管理サーバー１０８へ広告効果、評価に基づく広告媒体３８の配置替え、入替えの要求情報を通知し、ステップ１７４へ移行する。
【０１２８】
ステップ１７４では、広告媒体管理サーバー１０８が広告媒体３８の配置替え、入替えを実施し、かつコード（ＱＲコード（登録商標）等）と防護柵１６の位置情報や広告媒体種類、広告元情報を更新し、このサービスは終了する。
【０１２９】
（広告元サーバー１０６と広告媒体管理サーバー１０８との間の広告媒体管理手順）
次に、図１０は、前記図９のステップ１７２、ステップ１７４における、広告元サーバー１０６からの要求の下、広告媒体管理サーバー１０８で実行される、広告媒体３８の配置替え、入替えに、並びに情報更新に関する管理手順の流れを示す制御フローチャートである。
【０１３０】
ステップ１８０では、広告元サーバー１０６から通知（情報受付）があったか否かが判断され、否定判定された場合は、このルーチンは終了する。
【０１３１】
また、ステップ１８０で肯定判定されると、ステップ１８２へ移行して、受け付けた情報の種類を判別する。
【０１３２】
ステップ１８２において、受け付けた情報が変更要求情報と判別された場合は、ステップ１８４へ移行して、データベース（図８（Ｂ）参照）から防護柵１６の設置位置、広告媒体種、広告元を読み出し、次いでステップ１８６へ移行して配置プランを構築する。配置プランの構築とは、主として、広告媒体３８の配置替え、入替えであり、広告媒体管理サーバー１０８が自動で処理をしてもよいし、オペレータの操作を含んでもよい。
【０１３３】
次のステップ１８８では、構築された配置プランに基づいて、デモ画像を生成し、次いでステップ１９０へ移行して、生成したデモ画像を変更要求があった広告元サーバー１０６へ送信する。
【０１３４】
次のステップ１９２では、広告元サーバー１０６からの変更要求に基づいて、デモ画像を送信した作業に関する情報をオペレータへ報知し、このルーチンは終了する。
【０１３５】
一方、ステップ１８２において、受け付けた情報が配置プラン認否情報と判別された場合は、ステップ１９４へ移行して、提案した配置プラン（デモ画像）の認否の裁定を判別する。
【０１３６】
ステップ１９４において、提案した配置プランが非認可の場合は、ステップ１８４へ移行して、配置プランの再構築を実行する。また、ステップ１９４において、提案した配置プランが認可の場合は、ステップ１９６へ移行して、データベース（図８（Ｂ）参照）の防護柵１６の設置位置、広告媒体種、広告元を更新し、ステップ１９２へ移行する。
ステップ１９２では、提案した配置プランが認可されたことをオペレータへ報知し、このルーチンは終了する。
【０１３７】
以上、本実施の形態に係る広告媒体管理制御システムによれば、防護柵１６に設けた広告媒体３８を一括管理し、かつ、広告元と顧客との間のサービスの状況に応じて、広告元から配置替えや入替え要求があった場合、迅速に対応することができ、空港施設５０等の大規模施設において、個々の広告媒体３８の宣伝効果の総和以上の効果（相乗効果）をもたらすことができる。
【０１３８】
なお、本実施の形態では、多数の防護柵１６が設置される施設として、空港施設５０を例にとり説明したが、大型ショッピングモール、スポーツ競技施設等、他の大型商業施設であってもよい。
【０１３９】
また、本実施の形態では、広告媒体３８として例えば、紙やフィルム等、固定的な媒体を適用したが、図１２に示される如く、防護柵１６にＬＣＤ表示装置３２ＬＣＤを搭載し、広告媒体管理サーバー１０８から表示制御装置３３を介して、遠隔でＬＣＤ表示装置３２ＬＣＤに表示される表示画像を変更するようにしてもよい。
【０１４０】
また、防護柵１６毎に設けたコードプレート２８上のコード（ＱＲコード（登録商標）等）を用いて、携帯通信端末１０４をかざした顧客に関連する情報をＬＣＤ表示装置３２ＬＣＤに表示するようにしてもよい。
【０１４１】
また、防護柵１６の位置情報をＱＲコード（登録商標）等のコード情報で識別したが、ＮＦＣ（非接触ＩＣ）を適用してもよい。
【符号の説明】
【０１４２】
１０    自動ドアユニット
１２    開閉扉
１４    壁体
１６    防護柵
１８    戸袋空間
２０    床面
２２    アンカーボルト
２４    ベース
２６    フレーム
２６Ａ    上桟部
２６Ｂ    脚部
２６Ｃ    下桟部
２８    コードプレート
３０    ベースカバー
３２    発光パネル
３４    額縁
３５    クランプ金具
３６    導光パネル
３８    フィルム
４０    表示板
４２    導光パネル本体
４４    光拡散層
４６    光反射シート
４７    光源
５０    空港施設
５２    受付カウンター
５４    一般通路
５６    搭乗者専用通路
５８    出入口スペース
１００    通信回線網
１０２    無線通信デバイス
１０４    携帯通信端末
１０６    広告元サーバー
１０６Ａ    ＣＰＵ（指示手段、返信手段）
１０６Ｂ    ＲＡＭ
１０６Ｃ    ＲＯＭ
１０６Ｄ    Ｉ／Ｏ
１０６Ｅ    バス
１０６Ｆ    ハードディスク
１０６Ｇ    通信Ｉ／Ｆ
１０８    広告媒体管理サーバー（広告媒体管理制御装置）
１０８Ａ    ＣＰＵ（更新手段、通知手段、判定手段）
１０８Ｂ    ＲＡＭ
１０８Ｃ    ＲＯＭ
１０８Ｄ    Ｉ／Ｏ
１０８Ｆ    バス
１０８Ｆ    ハードディスク（記憶手段）
１０８Ｇ    通信Ｉ／Ｆ
１１０    マイクロコンピュータ
１１２    マイクロコンピュータ
１２０    受付情報解析部
１２２    配置プラン構築部
１２４    配置プラン認否確認部（判定手段）
１２６    広告媒体位置情報データベース（記憶手段）
１２８    デモ画像生成部
１３０    配置制御部（通知手段、判定手段）
１３２    デモ画像送出部（通知手段）
１３４    出力部
１３６    広告媒体位置情報更新部（更新手段）
【図１】
2016218329.tif 000003
【図２】
2016218329.tif 000004
【図３】
2016218329.tif 000005
【図４】
2016218329.tif 000006
【図５】
2016218329.tif 000007
【図６】
2016218329.tif 000008
【図７】
2016218329.tif 000009
【図８】
2016218329.tif 000010
【図９】
2016218329.tif 000011
【図１０】
2016218329.tif 000012
【図１１】
2016218329.tif 000013
【図１２】
2016218329.tif 000014